(57)【要約】    【課題】点検操作や掃除の際に警報器が動いても外れないようにする。    【解決手段】取付金具１２はフック穴２２を備えた火災警報器１０を壁面に掛け止めする。取付金具１２は、プレート状の金具本体と、金具本体の下部から前方斜め方向に張り出し形成されたフック２６と、金具本体の両側下部コーナを前方に屈曲して形成した抜止部２８と、抜止部２８に形成された止めピンを挿入するピン挿入穴３０とを備える。ピン挿入穴３０は、止めピンを金具本体が面着する壁面に対し斜め下向きで広がるように指向させる方向に形成される。    【選択図】      図１
2006293665.tif 000002
【特許請求の範囲】
【請求項１】
フック穴を備えた警報器を壁面に掛け止めする取付金具に於いて、
プレート状の金具本体と、
前記金具本体から前方に張り出し形成されたフックと、
前記金具本体の両側下部コーナを前斜め方向に屈曲して形成した一対の抜止部と、
前記抜止部の各々に形成された止めピンを挿入するピン挿入穴と、
を備えたことを特徴とする取付金具。
【請求項２】
請求項１記載の取付金具に於いて、前記抜止部の各々に形成されたピン挿入穴は、前記止めピンを前記金具本体が面着する壁面に対し斜め下向きで外側に広がるように指向させる方向に形成されたことを特徴とする取付金具。
【請求項３】
請求項１記載の取付金具に於いて、更に、前記金具本体の平坦部分に位置決め用のピン挿入穴を形成したことを特徴とする取付金具。
【発明の詳細な説明】
【技術分野】
【０００１】
本発明は、住宅用火災警報器などを壁面の取り付けるための取付金具に関する。
【背景技術】
【０００２】
従来、住宅用火災警報器にあっては、火災を監視する部屋の石膏ボードなどの壁面に取り付けて使用するため、専用の固定板を石膏ボード用の止めピンで壁面に固定し、この固定板に警報器を取り付けるようにしている（特許文献１）。
【０００３】
また専用の固定板を使用することは、取付に手間がかかり、固定板を必要とする分だけコストアップにもなることから、警報器にフック穴を設け、壁面にビスを固定し、固定したビスにフック穴を入れることで警報器を取り付ける方法も使用されており、取付けが簡単でコスト的な負担も少なくできる。
【特許文献１】特開２００４−３２６５３６号公報
【発明の開示】
【発明が解決しようとする課題】
【０００４】
しかしながら、このようなフック穴を用いて警報器を取り付ける方法にあっては、取付が簡単でコスト的にも安価にできるメリットはあるが、フック穴をビスやフック付きの取付金具に掛けているに過ぎないため、警報器の動作を確認する点検操作等を行った際に警報器が上方に動くと、フック穴がビスやフックから簡単に外れて落下してしまう恐れがある。また部屋の壁面に設置しているため、掃除の際のはたき掛けなどで警報器が動くとフック穴がビスやフックから外れて落下する恐れもあった。
【０００５】
本発明は、点検操作や掃除などで警報器が動いても外れることのないフック掛け構造の取付金具を提供することを目的とする。
【課題を解決するための手段】
【０００６】
この目的を達成するため本発明は次のように構成する。本発明は、フック穴を備えた警報器を壁面に掛け止めする取付金具に於いて、プレート状の金具本体と、金具本体から前方に張り出し形成されたフックと、金具本体の両側下部コーナを前斜め方向に屈曲して形成した一対の抜止部と、抜止部の各々に形成された止めピンを挿入するピン挿入穴とを備えたことを特徴とする。
【０００７】
ここで、抜止部の各々に形成されたピン挿入穴は、止めピンを金具本体が面着する壁面に対し斜め下向きで外側に開くように止めピンを指向させる方向に形成される。更に、金具本体の平坦部分に位置決め用のピン挿入穴を形成しても良い。
【発明の効果】
【０００８】
本発明によれば、取付金具は両側下部コーナに前斜め方向に屈曲した一対の抜止部を形成しているため、フックに警報器のフック穴を掛けた取付状態で警報器が上方に動いても、警報器の上端が取付金具の抜止部に当って上方への動きが規制され、フック穴がフックから外れることを確実に防止できる。
【０００９】
また取付金具は両側下部コーナに前斜め方向に屈曲した抜止部にピン挿入穴を形成したことで、ピン挿入穴の方向が壁面に対し外側に広がる斜め下向きの方向となり、強度の低い石膏ボードであっても、十分な取付強度を確保することができる。
【００１０】
更に、金具本体のフラットな部分にもピン挿入穴が形成されているため、取付強度を更に確保したい場合には、抜止部のピン挿入穴に加え、金具本体のフラット部分のピン挿入穴に対しても止めピンを挿入することで、簡単に取付強度を確保することができる。
【００１１】
更に、金具本体のフラットな部分には位置決め用のピン挿入穴が形成されているため、ピン挿入穴にピンを軽く挿入した状態で、金具の取り付け位置を決めることも出来る。
【発明を実施するための最良の形態】
【００１２】
図１は本発明の取付金具を使用した火災警報器の取り付け状態の説明図である。図１において、住宅用の火災報知器１０は本体１１ｂとカバー１１ａで構成され、カバー１１ａの正面上部に突出して煙流入口１４を形成し、その内部に散乱光式煙検出機構を内蔵している。
【００１３】
煙流入口１４の下側には音響穴１６が形成され、内部に警報メッセージを出力するスピーカを内蔵している。更に下部には点検操作部１８が引き出され、点検操作部１８を一定時間引くと、動作確認のための警報メッセージが出力され、また火災検出時に警報が出力された際には、点検操作部１８を継続して引くことで警報出力を停止することができる。
【００１４】
火災警報器１０の本体１１ｂの上部には取付部２０が設けられている。取付部２０にはフック穴２２が形成されている。フック穴２２は下側の円形穴に続いて上方に長手穴を形成している。
【００１５】
火災警報器１０は本発明の取付金具１２により壁面に取り付けることができる。取付金具１２は金具本体の前方にフック２６を一体に形成しており、更に金具本体の両側下部コーナー部を前斜め方向に屈曲して抜止部２８を形成し、この抜止部２８にピン挿入穴３０を形成し、ピン挿入穴３０を通して壁面に取付金具１２を止めピンにより固定する。更に取付金具１２のフラットな部分にもピン挿入穴３０が形成される。
【００１６】
取付金具１２への火災警報器１０の取り付けは、火災警報器１０の上部の取付部２０に形成したフック穴２２を、壁面に取り付けた本発明の取付金具１２のフック２６に嵌め入れることで取り付けている。
【００１７】
図２は図１の側面図であり、壁面内に対するピンの挿入状態を断面で併せて示している。図２において、取付金具１２は、金具本体２４の両側下部コーナー部に屈曲して前方斜め方向に突出させた抜止部２８に設けたピン挿入穴３０を通して、止めピン３４を石膏ボードなどで作られた壁面３６に打ち込んで固定している。
【００１８】
この状態で金具本体２４の前方にフック２６が位置することから、フック２６に火災警報器１０のフック穴２２（図１参照）を嵌め入れることで、壁面３６に取り付けることができる。
【００１９】
図３は本発明による取付金具の説明図であり、図３（Ａ）に平面図、図３（Ｂ）に正面図、図３（Ｃ）に底面図、図３（Ｄ）に側面図、更に図３（Ｅ）に斜視図を示している。
【００２０】
図３において、本発明の金具本体２４は、正面から見てほぼハンガー状の形状を持ち、前部中央に上向きに開いてフック２６を一体に形成している。また、金具本体２４の両側下部コーナー部を前方斜め方向に屈曲して抜止部２８を形成している。この抜止部２８にはピン挿入穴３０が形成されている。更に、金具本体２４のフラットな部分にもピン挿入穴３２が形成されている。
【００２１】
抜止部２８に形成したピン挿入穴３０のピン挿入方向３８は、金具本体２４のフラットな面に対し抜止部２８が斜め前方に屈曲されているため、抜止部２８の面に直交するピン挿入穴３０の穴開けで決まるピン挿入方向３８となり、ピン挿入方向３８は取付金具１２を取り付ける壁面に対し外側に広がる斜め下方となり、これによってピン挿入穴３０に止めピン３４を図２のように打ち込んだ際に、石膏ボードなどを用いた壁面３６に対し十分な支え強度をもって確実に固定することができる。
【００２２】
またピン挿入方向３８は、２箇所のピン挿入穴３０に対し下向きで外側に広がる方向であることから、フック２６に火災警報器１０を吊り下げた際の下向きの重量に対し、十分な剛性をもって支持することができる。
【００２３】
更に、金具本体２４のフラットな部分には位置決め用のピン挿入穴３２が２箇所に形成されているため、金具本体１２の取り付け位置を決めることもできる。位置が正式に決まった状態で、ピンを打ち込むことで、合計４本の止めピンで取付金具１２を支持することにより取付強度を更に高めることができる。
【００２４】
次に本発明の金具本体２４に設けた抜止部２８の作用を説明する。図２に示す取付金具１２による火災警報器１０のフック穴を用いた取付状態で、取付金具１２のフック２６に火災警報器１０のフック穴２２（図１参照）を入れることで、自重により壁面３６に沿って火災警報器１０が吊り下げ状態で固定される。
【００２５】
このとき火災警報器１０の本体１１ｂの上部の壁面３６側は、取付金具１２の前面に屈曲した抜止部２８の下側に位置しており、このため火災警報器１０が取付状態で上方に動いたとしても、本体１１ｂの上部が取付金具１２の抜止部２８に当たり、それ以上、上方に動くことがなく、これによってフック２６からフック穴が外れてしまうことを規制することができる。
【００２６】
このため取付状態で例えば点検のために点検操作部１８を一定時間引いて警報動作をさせたような場合に、火災警報器１０が上方にずれて動いたとしても、フック２６から外れることはない。また、室内の清掃の際に火災警報器１０にハタキなどを掛けたような場合、火災警報器１０が上方に動いたとしても、フック２６から外れて落下するようなことを確実に防止できる。
【００２７】
なお本発明は上記の実施形態に示した取付金具１２の形状に限定されず、フック２６を有し且つ両側下部コーナー部に前方斜め方向に屈曲した抜止部２８を形成し、抜止部２８にピン挿入穴３０を開口したものであれば、適宜の金具形状とすることができる。
【００２８】
また上記の実施形態は火災警報器を例にとるものであったが、これに限定されず、壁面に取り付けて使用する適宜の警報器または機器につき、本発明の取付金具をそのまま適用することができる。
【図面の簡単な説明】
【００２９】
【図１】本発明の取付金具を使用した火災警報器の取り付け状態の説明図
【図２】図１の側面図
【図３】本発明による取付金具の平面、正面、底面、側面及び斜視の各説明図
【符号の説明】
【００３０】
１０：火災警報器
１１ａ：カバー
１１ｂ：本体
１２：取付金具
１４：煙流入口
１６：音響穴
１８：点検操作部
２０：取付部
２２：フック穴
２４：金具本体
２６：フック
２８：抜止部
３０，３２：ピン挿入穴
３４：止めピン
３６：壁面
３８：ピン挿入方向
【図１】
2006293665.tif 000003
【図２】
2006293665.tif 000004
【図３】
2006293665.tif 000005